(57)【要約】【課題】  枠体へ遊技盤を固定する固定器具において、固定作業を迅速かつ容易に進められるようにし、作業の効率化を図ることである。【解決手段】  遊技盤収納部１２２に遊技盤１の一側方を挟持する挟持手段１６０を設け、遊技盤１を遊技盤収納部１２２に収納する際に、遊技盤１の一側部を挟持手段１６０に挟み込むだけで、遊技盤１の一側部の前後移動を規制できるようにする。また、遊技盤１の裏面に被挟持部１６９を形成して、挟持部材１６１が被挟持部１６９に当接して遊技盤１を遊技盤収納部１２２の側壁に押し付け、遊技盤１の左右方向への移動を規制できるようにする。これらによって、遊技盤１の固定作業を簡単にできるとともに、他側部の固定手段１７１は、遊技盤１の後方への移動を規制するような簡単なものでよく、従来のように別途面倒な固定作業を行うこともなく、作業効率を高めることができる。【選択図】図８
2005237665.tif 000002
【特許請求の範囲】
【請求項１】
前面枠の裏面側に、後方側に開口した遊技盤収納部を形成し、該遊技盤収納部に対して後方側から遊技盤を収納するようにした遊技機において、
前記遊技盤収納部は、一側方に、遊技盤の一側部を挟持する挟持手段を設けるととともに、他側方に、当該遊技盤収納部に遊技盤を収納した状態で該遊技盤の他側部を固定する固定手段を設け、
前記挟持手段は、前記遊技盤収納部を構成する一側壁の後端から内側方向に所定長さ分延出し、かつ延出端部側が前方方向に屈曲した湾曲状に形成されて弾性変形可能な挟持部材を有し、
前記遊技盤裏面の一側部に凹状の被挟持部を形成し、
前記被挟持部内に前記挟持部材を挿入して前記遊技盤を前記遊技盤収納部に収納すると、該被挟持部の内側段部に前記挟持部材の延出端部が当接して、該挟持部材により該遊技盤が左右方向に押圧されるように構成したことを特徴とする遊技機。
【請求項２】
前記遊技盤裏面の一側部の縁部に、前記被挟持部を形成可能な被挟持部形成部材を配設し、
前記被挟持部形成部材は、前記遊技盤の側面に当接する屈折部を形成したことを特徴とする請求項１に記載の遊技機。
【請求項３】
前記被挟持部形成部材は、前記被挟持部の外側所定部位に後方に突出するリブを形成し、
前記遊技盤を前記遊技盤収納部に収納する際に、前記挟持部材の延出端部が前記リブに係合して、収納途中の遊技盤を保持可能に構成したことを特徴とする請求項２に記載の遊技機。
【請求項４】
前記被挟持部形成部材は、当該被挟持部形成部材を遊技盤裏面に取り付けるための取付基盤を有し、
前記取付基盤を遊技盤の内側方向に延在させるとともに、該延在部に遊技盤の収納作業用の取っ手を後方側に突出させて形成したことを特徴とする請求項２または請求項３に記載の遊技機。
【請求項５】
前記被挟持部形成部材は、前記内側段部を形成する内側段部形成部材を左右方向にスライド可能に設け、
前記被挟持部形成部材を遊技盤に取り付けるために当該遊技盤の裏面に形成された凹部の内側段部と、前記内側段部形成部材と、の間に該内側段部形成部材を遊技盤の外側方向に押圧する押圧バネを設けたことを特徴とする請求項２から請求項４の何れか一項に記載の遊技機。
【請求項６】
前記前面枠は、島設備に設置される機枠に対して片開き形式で開閉可能に軸着され、
前記挟持手段は、前記遊技盤収納部における前記前面枠の軸着側に配設され、
前記前面枠の開放状態から閉鎖状態への変換に応じて、前記挟持部材の延出端部に前方及び左右方向に力が加わるように当該挟持部材を押圧する押圧部材を設けたことを特徴とする請求項１から請求項５の何れか一項に記載の遊技機。
【発明の詳細な説明】
【技術分野】
【０００１】
本発明は、遊技領域を形成する遊技盤を前面枠に着脱自在に装着した遊技機に関する。
【背景技術】
【０００２】
従来よりパチンコ遊技機等の遊技機においては、島設備に取り付けられる機枠に対して前面枠が片開き形式で開閉可能に設けられている。そして、この前面枠には、金属で形成された、或いは合成樹脂（前面枠が合成樹脂製の場合）で一体成型された遊技盤収納部が設けられ、この遊技盤収納部に対して遊技領域が形成された遊技盤を収納するようになっている。したがって、新機種の入れ替え等の場合には、枠体（機枠と前面枠）を残したまま、遊技盤のみを新たなものに交換できるようになっている。
このような遊技盤の収納に関して、従来は、遊技盤収納部の一側方に遊技盤の一側部を係合するＬ字状の係合部を設けるとともに、他側方に遊技盤の他側部を固定する遊技盤固定器具を設け、最初に遊技盤の一側部を係合部に係合してから、係合箇所を支点として回動させながら遊技盤を遊技盤収納部に収納するようにしたものが考えられている。この場合、遊技盤を遊技盤収納部に収納する途中でも、遊技盤は係合部に係合されて落下が防止されているので、収納途中に発生する他の作業（リード線の除去作業等）を手を離して行うことができるようになっている（例えば、特許文献１参照。）。
【特許文献１】特開平１１−１６９５１９号公報
【発明の開示】
【発明が解決しようとする課題】
【０００３】
しかしながら、従来の遊技機においては、係合部材の作用により遊技盤の前後方向の固定は比較的簡単に行えるが、左右方向の固定が不十分である。そこで、遊技盤を遊技盤収納部に収納した後、遊技盤固定器具を回動操作して遊技盤の他側部を左右方向（内側方向）に押圧して遊技盤を遊技盤収納部内に固定するようになっていたため、この固定作業が非常に面倒であるとともに、比較的大きい力が必要であり、多数の遊技盤を入れ替える際には、迅速に作業を進められないことが多く、更に、非常に労力を要することとなっていた。
【０００４】
本発明の課題は、枠体へ遊技盤を固定する固定器具において、固定作業を迅速かつ容易に進められるようにし、作業の効率化を図ることである。
【課題を解決するための手段】
【０００５】
以上の課題を解決するため、請求項１に記載の発明は、前面枠の裏面側に、後方側に開口した遊技盤収納部を形成し、該遊技盤収納部に対して後方側から遊技盤を収納するようにした遊技機において、
前記遊技盤収納部は、一側方に、遊技盤の一側部を挟持する挟持手段を設けるととともに、他側方に、当該遊技盤収納部に遊技盤を収納した状態で該遊技盤の他側部を固定する固定手段を設け、
前記挟持手段は、前記遊技盤収納部を構成する一側壁の後端から内側方向に所定長さ分延出し、かつ延出端部側が前方方向に屈曲した湾曲状に形成されて弾性変形可能な挟持部材を有し、
前記遊技盤裏面の一側部に凹状の被挟持部を形成し、
前記被挟持部内に前記挟持部材を挿入して前記遊技盤を前記遊技盤収納部に収納すると、該被挟持部の内側段部に前記挟持部材の延出端部が当接して、該挟持部材により該遊技盤が左右方向に押圧されるように構成したことを特徴とする。
【０００６】
このように、遊技盤収納部に遊技盤の一側方を挟持する挟持手段を設けたことで、遊技盤を遊技盤収納部に収納する際に、遊技盤の一側部を挟持手段に挟み込むだけで、一側部の前後移動を規制でき、作業効率がよい。
また、遊技盤の裏面に被挟持部を形成し、遊技盤を遊技盤収納部に収納したときに、挟持部材の延出端部が被挟持部の内側段部に当接するようにしたことで、挟持部材が遊技盤を左右方向へ押して遊技盤収納部の挟持手段が設けられた側部と対向する側部に押し付けることとなり、遊技盤の左右方向への移動を規制することができる。したがって、遊技盤の固定作業を簡単に行うことができ、他側部の固定手段は、遊技盤の後方への移動を規制するような簡単なもの（当然作業も簡単）でよく、従来のように別途面倒な固定作業を行うこともなく、作業効率を高めることができる。
【０００７】
請求項２に記載の発明は、請求項１に記載の遊技機であって、前記遊技盤裏面の一側部の縁部に、前記被挟持部を形成可能な被挟持部形成部材を配設し、
前記被挟持部形成部材は、前記遊技盤の側面に当接する屈折部を形成したことを特徴とする。
【０００８】
このように、被挟持部形成部材によって被挟持部を形成したことで、被挟持部の形状（寸法）を正確なものにすることが可能である。特に合成樹脂で形成された被挟持部形成部材を用いることにより、被挟持部の形状をより正確なものとすることができる。
また、遊技盤の側面に屈折部を当接させることにより、被挟持部の左右位置が決まるので、挟持部材に当接する内側段部の位置を正確に設定することが可能であり、遊技盤を遊技盤収納部内の適正位置に確実に固定することが可能となる。
【０００９】
請求項３に記載の発明は、請求項２に記載の遊技機であって、前記被挟持部形成部材は、前記被挟持部の外側所定部位に後方に突出するリブを形成し、
前記遊技盤を前記遊技盤収納部に収納する際に、前記挟持部材の延出端部が前記リブに係合して、収納途中の遊技盤を保持可能に構成したことを特徴とする。
【００１０】
このように、被挟持部形成部材に挟持部材の延出端部が係合するリブを形成し、挟持部材が収納途中の遊技盤を確実に保持可能に構成したことで、遊技盤を遊技盤収納部に収納する際に、遊技盤を持つ手を一旦離すことができるようになるので、収納作業途中で他の作業（遊技盤で挟んでしまうようなリード線の除去作業等）を行うことが可能となる。
【００１１】
請求項４に記載の発明は、請求項２または請求項３に記載の遊技機であって、前記被挟持部形成部材は、当該被挟持部形成部材を遊技盤裏面に取り付けるための取付基盤を有し、
前記取付基盤を遊技盤の内側方向に延在させるとともに、該延在部に遊技盤の収納作業用の取っ手を後方側に突出させて形成したことを特徴とする。
【００１２】
このように、被挟持部形成部材が被挟持部形成部材を遊技盤の裏面に取り付けるための取付基盤を有し、この取付基盤の延在部に取っ手を設けたことで、遊技盤を遊技盤収納部に収納する際に、遊技盤を持ちやすくなる。
つまり、遊技盤を遊技盤収納部に収納する際に、遊技盤の端を持つと、その持つ手が邪魔となり収納作業が非常に行い辛いが、取っ手により作業に邪魔とならない部位を掴んで簡単に遊技盤を持つことができ、作業も非常に簡単に行えるようになる。
また、取っ手は被挟持部形成部材に一体的に形成されているので、別途部材を取り付ける必要もなく被挟持部形成部材を利用して効率よく取っ手を形成できる。
【００１３】
請求項５に記載の発明は、請求項２から請求項４の何れか一項に記載の遊技機であって、前記被挟持部形成部材は、前記内側段部を形成する内側段部形成部材を左右方向にスライド可能に設け、
前記被挟持部形成部材を遊技盤に取り付けるために当該遊技盤の裏面に形成された凹部の内側段部と、前記内側段部形成部材との間に該内側段部形成部材を遊技盤の外側方向に押圧する押圧バネを設けたことを特徴とする。
【００１４】
このように、被挟持部の内側段部を形成する内側段部形成部材をスライド可能に設け、この内側段部形成部材と、遊技盤の被挟持部形成部材の取り付け部分に形成された凹部の内側段部との間に押圧バネを設けたことで、弾性を有する挟持部材の他、押圧バネによる力で遊技盤を左右方向に押圧することとなるため、遊技盤を確実に固定することが可能となる。
また、請求項１の効果と同様に、特許文献１に示すような、遊技盤を遊技盤収納部に収納した後に固定器具を操作し、遊技盤を左右方向に押圧して他側部を遊技盤収納部内に固定する面倒な作業の必要がない。
【００１５】
請求項６に記載の発明は、請求項１から請求項５の何れか一項に記載の遊技機であって、前記前面枠は、島設備に設置される機枠に対して片開き形式で開閉可能に軸着され、
前記挟持手段は、前記遊技盤収納部における前記前面枠の軸着側に配設され、
前記前面枠の開放状態から閉鎖状態への変換に応じて、前記挟持部材の延出端部に前方及び左右方向に力が加わるように当該挟持部材を押圧する押圧部材を設けたことを特徴とする。
【００１６】
このように、挟持部材に設けられた押圧部材によって、前面枠の開閉に応じて挟持部材の延出端部に前方及び左右方向に力が加わるようにしたことで、前面枠の閉鎖状態への変換（閉める力）を利用して、効率よく挟持部材を押圧でき、遊技盤を遊技盤収納部に確実に固定することができる。
また、前面枠の開放時には、挟持部材の挟持力を弱めることも可能（挟持部材の延出端部を被挟持部からわずかに離した状態にしておくことも可能）であるので、遊技盤の収納時に（収納する際は前面枠を開放しているため挟持部材が押圧されていないことから）遊技盤を簡単に遊技盤収納部に収納することが可能となる。
【発明の効果】
【００１７】
本発明によれば、遊技盤を遊技盤収納部に収納する際に、遊技盤の一側部を挟持部材に挟み込むだけで、一側部の前後移動を規制でき、作業効率がよい。
また、遊技盤を遊技盤収納部に収納すると挟持部材の延出端部が被挟持部の内側段部に当接して、遊技盤を左右方向に押圧することとなり、遊技盤の左右方向への固定が行われる。したがって、遊技盤の固定作業を簡単に行うことができ、従来のように別途面倒な固定作業を行うこともなく、作業効率を高めることができる。
【発明を実施するための最良の形態】
【００１８】
以下、この発明の実施形態について、図面を参照して説明する。
〔第１の実施の形態〕
本実施形態の遊技機は、本発明をパチンコ遊技機としての封入球式遊技機に応用したものであり、例えば、遊技内容等は、従来のパチンコ遊技機と同様とすることが可能となっているとともに、外形等のサイズも同様となっており、パチンコ遊技店の現状の島設備に設置可能となっているが、島設備の球供給機構や球排出機構を用いることがないものとなっている。すなわち、封入球式遊技機として、予め封入された遊技球を用い、貸球機等を介してカード等の記憶媒体から入力されたデータ（貸球数のデータ）等に基づく遊技球数、すなわち、持球数のデータに対応して遊技球を遊技領域に発射可能とされ、遊技球を発射すると発射された遊技球数に対応して持球数のデータが減算されるようになっている。また、発射された遊技球が各種入賞口や変動入賞装置等の入賞具に入賞して賞球（遊技球）が発生した場合は、実際の遊技球を払い出すことなく、前記持球数のデータに賞球数が加算されるようになっている。また、持球数のデータが０となると、遊技球の発射ができない状態となる。この状態でカード等の記憶媒体に記憶された金額のデータや貯球のデータ等に基づいて、持球数のデータに数値（すなわち、貸球数もしくは再プレイ球数）が加算されると再び遊技球の発射が可能となる。
また、発射された遊技球は、封入球式遊技機内で回収されて再び発射可能な状態となるようになっており、遊技球は封入球遊技機内で循環するようになっている。
すなわち、この実施形態の封入球式遊技機は、遊技領域に発射された遊技球を回収して、再び遊技に供する封入球式遊技機である。
【００１９】
図１から図３に示すように、本実施形態の封入球式遊技機１００は、矩形枠状に構成された機枠１１０を備え、この機枠１１０の一側方には、該機枠１１０に対し回動可能に矩形枠状の前面枠１２０が軸支されている。また、前面枠１２０は、当該前面枠１２０に備えられる各種部材等の取付用のベースとなる前面枠本体（本体枠）１３０と、当該前面枠本体１３０に対して、その前面側に回動可能に軸支されたガラス枠１４０と、前面枠本体１３０の前面のガラス枠１４０の下側に取り付けられた発射操作ユニット１５０とを有する。
【００２０】
前面枠本体１３０は、矩形枠状の機枠１１０内にちょうど収まるように、概略矩形板状に構成されるとともに、その中央から上端部に渡る部分に後述する遊技盤１を嵌め込んで収容するための遊技盤収納部１２２を有する方形状の開口部１２１が形成されている。そして、前面枠本体１３０に収容された遊技盤１の前面が前面枠本体１３０の開口部１２１から前側に臨むようになっている。また、前面枠本体１３０の遊技盤１が嵌め込まれた遊技盤収納部１２２を有する開口部１２１、すなわち、前面枠本体１３０の中央より少し下側から上端部に渡る部分を覆って前記ガラス枠１４０が配置されており、遊技盤１の前面と前記ガラス枠１４０に嵌め込まれたガラス板１４１，１４１との間で、遊技盤１の前面に設けられたガイドレール２に囲まれた部分が遊技球が発射されて流下する遊技領域１ａとされている。
【００２１】
また、ガラス枠１４０の一方の側部（左側部）は、前面枠本体１３０の一方の側部に回動可能に軸支されて、扉状に開閉自在とされ、ガラス枠１４０を開くことにより、遊技盤１の前面側の遊技領域１ａの前側を開放可能となっている。
ガラス枠１４０には、前面枠本体１３０の開口部１２１をほぼ閉塞するように、該開口部１２１に嵌め込まれた遊技盤１との間に遊技球が流下可能な遊技領域１ａとなる間隔を開けて二重のガラス板１４１，１４１が固定されている。そして、ガラス枠１４０において、封入球式遊技機１００の前側からガラス板１４１，１４１を介して遊技盤１の前面側の少なくとも遊技領域１ａの部分が視認可能となっている。
【００２２】
また、ガラス枠１４０の前面側には、遊技領域１ａの視認を妨げない位置に、図２に示すように、外部アピール装飾ランプ１１，…、サイドランプ１２，１２、スピーカ１３，１３等が設けられている。外部アピール装飾ランプ１１，…は、ガラス枠１４０の上部に、主に獲得遊技球数が大量となった場合に、これを周囲に報知するためのものである。例えば、入球数（遊技者が遊技機に打ち込んだ球数）と出球数（遊技球が入賞口等に入って出てきた賞球数）との差である差球数（差球数に遊技店が遊技者に貸した貸球数を加算した数値は、遊技者が持っている持球数であり、持球数は、ここでは、上述の遊技球の発射を可能とする遊技球数のデータ）に基づいて、差球数が高くなった場合に、外部アピール装飾ランプ１１，…が点灯するようになっている。なお、上述のように封入球式遊技機１００では、上述のように賞球の払い出しは行われず、上述の出球数、入球数、差球数、持球数（遊技球数）等は、実際の遊技球の個数ではなく、データ上の数値となる。すなわち、実際に使用される遊技球は、循環使用される限られた所定数（例えば、２５個）しかなく、持球数は、例えば、遊技領域に発射される遊技球を検知してカウントした発射球数、発射されたが戻ってしまった遊技球を検知してカウントしたファール球数、遊技領域に発射されて回収された遊技球を検知してカウントした回収球数、入賞した場合の賞球数、遊技店から借りた貸球数等の数値から上述の入球数、出球数、差球数、持球数が得られる。
【００２３】
なお、ガラス枠１４０を開放して遊技球が外に出てしまう等のトラブルがない限り、発射球数＝ファール球数＋回収球数（ファール球数を含まない場合）となる。そして、入球数＝回収球数＝発射球数−ファール球数となり、出球数＝賞球数（積算値）＝入球数−貸球数（再プレイ球数）＋持球数となり、持球数＝貸球数（もしくは再プレイ球数）＋出球数−入球数、出球数−入球数＝差球数、持球数＝貸球数（もしくは再プレイ球数）＋差球数となる。以上のように封入球式遊技機１００による遊技は、完全にデータ上の数値として行われることになり、遊技球をこぼしたり、遊技球を下皿や上皿に残したりすることによる誤差が生じることがなく、整数単位で確実に管理可能となる。しかし、多数の遊技球を得て、これを遊技球箱に溜めることにより遊技者が得られる満足感や優越感といったものが、持球数という数値の増加では得難い。そこで、外部アピール装飾ランプ１１，…は、遊技者が満足感や優越感を得られるように用いられる。
【００２４】
外部アピール装飾ランプ１１，…の動作をより具体的に説明すると、例えば、持球数もしくは差球数が１０００個以上になると、外部アピール装飾ランプ１１，…のうちの１つが所定の発光色（たとえば緑）で点灯し、持球数もしくは差球数が２０００個以上となると外部アピール装飾ランプ１１，…のうちの２つが点灯するとともに、発光色を変更するというように、持球数もしくは差球数が所定数ずつ増えるたびに外部アピール装飾ランプ１１，…の点灯数を増加し、かつ、発光色を変更し、遊技店内の遊技者等に差球数が多い台を知らせるとともに、その台で遊技する遊技者が多くの遊技球数を獲得していることをアピールするようになっている。
【００２５】
また、前面枠本体１３０の前面側のガラス枠１４０の下側には、発射操作ユニット１５０が取り付けられている。発射操作ユニット１５０には、タッチパネル表示ユニット１５１、ハンドルタッチ検出部１５２、発射スライドボリューム１５３、見せ球装飾部１５４、スピーカ１５５、及びこれらの部材を保持するとともに後述する発射装置６１の操作用のポケット上の凹部１５８（空間）を形成する発射操作空間形成枠１５９が設けられている。
タッチパネル表示ユニット１５１は、表示装置としての液晶ディスプレイを有するもので、基本的な機能として、持球数の情報、金額情報（カード等の記憶媒体に記憶された残額等）、貯球情報（景品と交換せずに遊技店側に貯蓄した遊技球数等）等の遊技情報を表示し、実際の遊技球の払い出しがなくても、いつでも、持球数を確認できるようにするとともに、遊技者や遊技店の店員等に対してエラーの発生を含む各種情報を表示可能となっている。また、タッチパネル表示ユニット１５１は、タッチパネルとして、表示切替や、その他の表示内容に対応した入力操作を可能とするものである。なお、タッチパネル表示ユニット１５１は、封入球式遊技機１００の左右方向に設定された回転軸回りに回転して傾きを調整できるようになっており、遊技者の体格等に対応して遊技者が見やすい角度に変更可能となっている。
【００２６】
また、本発明の封入球式遊技機１００においては、従来のパチンコ遊技機に設けられた遊技球の発射を操作するための回転操作式の操作ハンドルに代えて、前記ハンドルタッチ検出部１５２，１５２及び発射スライドボリューム１５３を有する。
前記ハンドルタッチ検出部１５２，１５２には、従来の操作ハンドルに設けられていたタッチセンサを有するものであり、遊技者の手を接触させることにより、信号を発射制御装置に出力し、発射制御装置の制御の元に発射装置を作動させて遊技球を発射させるものである。
【００２７】
また、ハンドルタッチ検出部１５２，１５２は、ガラス枠１４０の下側で前側に膨出した状態の発射操作空間形成枠１５９の左右側部で、膨出した部分にポケット状の凹部１５８を形成し、この凹部１５８の内面のうち、主に遊技機の前方側で後方を向いた部分にタッチセンサを形成したものがハンドルタッチ検出部１５２，１５２となっている。また、ポケット状の凹部１５８の底面部分は、遊技者の手をおけるように凹部内より外側に延出した状態となっており、凹部に手を入れてタッチセンサに触れた状態で楽に手を凹部の底面におけるようになっている。すなわち、凹部の底面は、アームレスト１５８ａ（ハンドレスト）として機能する。また、ハンドルタッチ検出部１５２，１５２は、封入球式遊技機１００の下部の発射操作ユニット１５０の左右にそれぞれ設けられているので、右手でも左手でも遊技球の発射の操作が可能となっている。
【００２８】
また、従来、発射勢の調整は、操作ハンドルを回転することにより行われていたが、この例の封入球式遊技機１００では、上下にスライド移動可能な操作レバー１５６を備えた発射スライドボリューム１５３により発射勢を調整できるようになっており、上下に移動可能な発射スライドボリューム１５３の操作レバー１５６を上もしくは下に移動すると発射勢が強くなり、逆に移動すると発射勢が弱くなるようになっている。なお、操作レバー１５６は、任意の位置で止められるようになっており、手を離してもバネ等により発射勢を最低とする位置に戻ることがないので、一度、遊技者が発射勢を決めたら、操作レバー１５６から手を離して、ハンドルタッチ検出部１５２，１５２に手を触れるだけで遊技球が発射可能となる。
【００２９】
見せ球装飾部１５４は、遊技球を払い出すパチンコ遊技機における上皿に溜まった遊技球の減少や増加による流動等を仮想的に表現するものである。
すなわち、遊技球を順次発射した際や、遊技球が入賞した際に、タッチパネル表示ユニット１５１に表示される持球数の増減だけで、パチンコ遊技機の上皿に溜まった遊技球の発射による減少や、賞球の払い出しによる増加を実感しずらいので、見せ球装飾部１５４で、遊技球の移動を仮想的に再現することで、遊技者に対して遊技球の増減を実感しやすい状態とする。
【００３０】
なお、見せ球装飾部１５４は、例えば、遊技球の増減を遊技球の移動で表現するものであり、実際の遊技球を循環移動させることにより表示しても良いし、ディスプレイとして画像により遊技球の移動を表示するものとしても良いし、擬似的にランプの点滅等で遊技球の移動を表現するものとしても良い。
【００３１】
スピーカ１５５は、そのエンクロージャ１５７となる部分が、図３に示すように後から向かって左側（前から向かって右側）に延出した状態となっており、エンクロージャ１５７が、右のハンドルタッチ検出部１５２と前後に重なるようになっている。これにより、スピーカ１５５により発生する振動を右のハンドルタッチ検出部１５２に触れている遊技者の手に伝えて、遊技者が手で音に基づく振動を体感可能となっており、ボディソニックの一種となっている。
【００３２】
次に、前面枠本体１３０への遊技盤１の固定について説明する。なお、以下の説明において、前後左右、上下関係は、遊技盤１を前面枠本体１３０に取り付けた状態でのものである。
図５、８に示すように、前面枠本体１３０の開口部１２１は、遊技盤１の大きさよりやや大きい方形状で、その後方の内周には、後方に向かって突出する壁部材１２３が形成されており、この壁部材１２３で囲まれた部分が遊技盤１を収納する遊技盤収納部１２２となる。この遊技盤収納部１２２には、前面枠本体１３０の後方から遊技盤１を収納するが、前面枠本体１３０の開口部１２１の内面であって、正面から見て左側の上下の角と、右側の辺に沿って、開口部１２１の内側に向かって延出する板状の規制板１２４が形成されている。この規制板１２４は、遊技盤１を遊技盤収納部１２２に収納したときに、遊技盤１の裏面側から見て右側では、後述する挟持手段１６０によって前方に押圧される遊技盤１の前面に当接して前方への移動を規制し、挟持手段１６０と規制板１２４で遊技盤１を挟持して保持するものであり、遊技盤１の裏面から見て左側では、後述する固定手段１７１と規制板１２４によって遊技盤１を挟持し、前後方向の移動を規制するものである。
【００３３】
挟持手段１６０は、遊技盤１の裏面に当接して押圧する挟持部材１６１と、この挟持部材１６１を遊技盤収納部１２２に固定するための挟持部材取付部１２７とからなる。
図７から図１１に示すように、遊技盤収納部１２２の裏面から見て右側（機枠１１０に対して前面枠１２０が軸着されている側）の壁部材１２３は、内壁１２５と外壁１２６が一定の間隔を置いて形成され、壁部材１２３が二重になっている。挟持部材取付部１２７は、この内壁１２５と外壁１２６の間であって、遊技盤収納部１２２の上下にそれぞれ設けられている。この挟持部材取付部１２７は、前面枠本体１３０の後方に向かって垂直に突出し、中心にねじ孔１２８ａを有する上下に並んだ一対の円筒形のボス１２８，１２８と、この一対のボス１２８，１２８を連結するように前面枠本体１３０に対して垂直に形成されたリブ１２９ａと、このリブ１２９ａに対してボス１２８を挟んだ反対側にあって、前面枠本体１３０に対して垂直に形成され、内壁１２５とボス１２８とを連結するようにＬ字型となったリブ１２９ｂとからなる。
【００３４】
挟持部材１６１は、遊技盤収納部１２２に挟持部材１６１自体を固定するための固定部１６２と、遊技盤１を保持するための延出部１６３とからなる金属製の部材である。挟持部材１６１の固定部１６２は、挟持部材取付部１２７の一対のボス１２８，１２８と内壁１２５の隙間に挿入する平板状の平板部１６８と、挟持部材取付部１２７に挟持部材１６１を固定するためのねじ１９７を挿通するためのねじ孔１６７ａを有するねじ挿通部１６７とからなる。
この平板部１６８の上下幅は、挟持部材取付部１２７の上下に形成されたＬ字型のリブ１２９ｂ，１２９ｂの間に収まる幅であり、前後幅は内壁１２５の前後幅とほぼ等しく、厚みは挟持部材取付部１２７のボス１２８と内壁１２５の間に挿入できる厚みである。
平板部１６８の後端面の上下端部であって、挟持部材１６１を遊技盤収納部１２２に取り付けたときに、挟持部材取付部１２７のボス１２８と対向する位置には、ねじ１９７によって挟持部材１６１を固定するためのねじ挿通部１６７が形成されている。このねじ挿通部１６７は、平板部１６８に対して直角に、外壁１２６方向に屈曲した部分で、その中心にねじ１９７を挿通するねじ孔１６７ａが形成されている。
以上の構成により、挟持部材１６１は、後述する延出部１６３が遊技盤収納部１２２の内側になるようにして固定部１６２を内壁１２５と挟持部材取付部１２７との間に挿入し、ねじ挿通部１６７にねじ１９７を挿通して挟持部材取付部１２７のボス１２８にねじ込むことで遊技盤収納部１２２に強固に固定される。
【００３５】
固定部１６２の平板部１６８の後端面であって、その中央部分からは延出部１６３が延出している。この延出部１６３は固定部１６２の平板部１６８に連続する板状の部分であって、固定部１６２から後方に延出して遊技盤収納部１２２の内側方向に湾曲し、遊技盤収納部１２２の内側方向に向かって延出した形状となっている。また、延出部１６３はさらに湾曲してその先部は斜め前方を向いている。また、この延出部１６３の先端部である延出端部１６４は、前方向に屈曲した後にさらに屈曲して断面形状がほぼ三角形となるように加工されており、最も前側に位置する頂点である前端部１６５と、二つの屈折した部分を結ぶ辺である傾斜部１６６とを有する。この延出端部１６４の前端部１６５は、遊技盤収納部１２２に遊技盤１を収納したときに、挟持部材１６１によって遊技盤１を前方に押圧できるように、規制板１２４からの距離が、遊技盤１の後述する被挟持部１６９が形成された部分の厚み以下となるように設定されている。
なお、挟持部材１６１は、延出部１６３が弾性を有し、遊技盤１を押圧して遊技盤収納部１２２内に固定できるような材質であれば良く、例えば、合成樹脂製でも良い。
【００３６】
遊技盤１の裏面であって、遊技盤１を遊技盤収納部１２２に収納したときに上述の挟持部材１６１と対向する位置には、上述の挟持部材１６１が当接する矩形状の凹部である被挟持部１６９が形成されている。この被挟持部１６９の上下幅は、挟持部材１６１の延出端部１６４が十分収容できる程度の幅となっており、左右幅、奥行きは、後述するように、遊技盤１を遊技盤収納部１２２に取り付けたときに、延出端部１６４の傾斜部１６６が、最も遊技盤１の内側に位置し、遊技盤１の側面と平行な段差である内側段部１７０に当接して遊技盤１を左右方向に押圧できるような左右幅、奥行きとなっている。また、この被挟持部１６９の一辺は遊技盤１の側端上にあって、この部分は遊技盤１の側面から見て切欠きとなっている。
【００３７】
遊技盤収納部１２２の裏面から見て左側の上下には、遊技盤１の左側を固定する固定手段１７１が設けられている。この固定手段１７１は、それぞれ上下の壁部材１２３の外側にあって、前面枠本体１３０に植設された回動軸１７２と、この回動軸１７２に回動自在に軸支された長円形の固定部材１７３とからなり、遊技盤収納部１２２に収容された遊技盤１の後面に当接し、遊技盤１の前後方向の移動を規制するものである。この固定手段１７１の回動軸１７２は長円形の固定部材１７３の端部に取り付けられているので、この固定部材１７３を回動させることで、固定部材１７３が遊技盤収納部１２２から退避して遊技盤１の後面に当接しない状態と、遊技盤収納部１２２に突出して遊技盤１の後面に当接する状態とに変換でき、これによって、遊技盤１の固定と解除を行うことができる。
また、遊技盤１の上方の角部には、遊技盤１を持つための孔１９８が開けられていて、遊技盤収納部１２２への取付時などには、ここに指をかけて容易に遊技盤１を持ち上げることができる。
また、遊技盤収納部１２２の内側面であって、挟持手段１６０が設けられている部分には、遊技盤１と遊技盤収納部１２２との間隔を保つために、遊技盤収納部１２２の内側に向かって突出するリブ１２５ａが形成されている。
【００３８】
以上のような構成において、遊技盤１を前面枠本体１３０に取り付けるときは、まず、図８に示すように、遊技盤収納部１２２に設けられた挟持手段１６０の挟持部材１６１を、遊技盤１に形成された被挟持部１６９に挿入するように、遊技盤収納部１２２に対して遊技盤１を斜めに挿入する。この際に挟持部材１６１の延出部１６３は、その延出端部１６４が後方へ開くように弾性変形する。次に、被挟持部１６９と挟持部材１６１の接点を軸として回動させながら遊技盤１を遊技盤収納部１２２に収納する。この際には、延出部１６３が遊技盤１の厚みにより後方に弾性変形するとともに、被挟持部１６９の内側段部１７０に延出端部１６４の傾斜部１６６が当接して、延出端部１６４が挟持部材取付部１２７側に移動するように、延出部１６３が撓む。遊技盤１が遊技盤収納部１２２に完全に収納されたら、遊技盤１の裏面に固定部材１７３が当接するように固定部材１７３を回動させて固定する。
【００３９】
遊技盤１が遊技盤収納部１２２に収納された状態において、挟持手段１６０の挟持部材１６１は遊技盤１の被挟持部１６９に当接し、弾性を有する延出部１６３が後側に弾性変形した状態となっており、挟持部材１６１はこの弾性力によって遊技盤１を遊技盤収納部１２２に固定している。つまり、挟持部材１６１の前端部１６５が被挟持部１６９の凹部に当接して遊技盤１を前方に押圧し、遊技盤１を規制板１２４に押し付けることで遊技盤１を挟持し、遊技盤１の前後方向の移動を規制している。
また、挟持部材１６１の延出端部１６４に形成された傾斜部１６６が被挟持部１６９の内側段部１７０に当接し、延出端部１６４が挟持部材取付部１２７側に移動するように延出部１６３が弾性変形した状態となっており、挟持部材１６１はこの弾性力によっても遊技盤１を遊技盤収納部１２２に固定している。つまり、挟持部材１６１の傾斜部１６６が被挟持部１６９の内側段部１７０に当接して遊技盤１を左右方向に、遊技盤収納部１２２の挟持部材１６１が設けられた側面から離れる方向に押圧することで、遊技盤収納部１２２の挟持部材１６１が設けられた側面に対向する内側面に遊技盤１を押し付け、遊技盤１の左右方向の移動を規制している。
すなわち、遊技盤１は挟持部材１６１によって前後左右方向の移動を規制され、遊技盤収納部１２２に固定されることとなる。
【００４０】
以上のことから、前面枠１２０の裏面側に、後方側に開口した遊技盤収納部１２２を形成し、該遊技盤収納部１２２に対して後方側から遊技盤１を収納するようにした遊技機１００において、遊技盤収納部１２２は、一側方に、遊技盤１の一側部を挟持する挟持手段１６０を設けるととともに、他側方に、当該遊技盤収納部１２２に遊技盤１を収納した状態で該遊技盤１の他側部を固定する固定手段１７１を設け、挟持手段１６０は、遊技盤収納部１２２を構成する一側壁の後端から内側方向に所定長さ分延出し、かつ延出端部１６４側が前方方向に屈曲した湾曲状に形成されて弾性変形可能な挟持部材１６１を有し、遊技盤裏面の一側部に凹状の被挟持部１６９を形成し、被挟持部１６９内に挟持部材１６１を挿入して遊技盤１を遊技盤収納部１２２に収納すると、該被挟持部１６９の内側段部１７０に挟持部材１６１の延出端部１６４が当接して、該挟持部材１６１により該遊技盤１が左右方向に押圧されるように構成したこととなる。
【００４１】
そして、以上のような封入球式遊技機において、前面枠本体１３０の開口部に嵌め込まれた遊技盤１の前面側の遊技領域１ａにおいて遊技が行われることになる。
すなわち、封入球式遊技機１００は、遊技盤１のガイドレール２で囲まれた遊技領域１ａ内に遊技球（打球；遊技媒体）を発射して遊技を行うものであり、該遊技領域１ａには、図１に示すように、普図始動ゲート６，６、この普図始動ゲート６，６を遊技球が通過して普図変動表示ゲームが未処理となっている未処理回数を表示する普図始動記憶表示器（図示略）、普通図柄（普図）の変動表示ゲームを表示する普図変動表示器（図示略）、普通変動入賞装置９、この普通変動入賞装置９に遊技球が入賞して特図変動表示ゲームが未処理となっている未処理回数を点灯表示する特図始動記憶表示器（図示略）、特別図柄（特図、識別情報）の変動表示ゲームの表示等を行う変動表示装置４、特別変動入賞装置５、一般入賞口８，…、風車と呼ばれる打球方向変換部材（図示略）、多数の障害釘（図示省略）などが設けられている。
【００４２】
なお、本発明の封入球式遊技機１００の遊技盤１においては、遊技領域１ａをその下端部まで流下しても入賞しなかった遊技球を遊技領域１ａの下端部において遊技盤１の裏面側に導くアウト穴が設けられておらず、その代わりに遊技盤１の前面で遊技領域１ａを囲むガイドレール２が、遊技領域１ａの下端部で設けられていない構成、すなわち、ガイドレール２の遊技領域１ａの下側を囲む部分に、切欠部が設けられる構成となっており、入賞しなかった遊技球は、遊技盤１の下端部の中央部分で、遊技盤１の前面側の遊技領域１ａからそのまま遊技領域１ａの外側（下側）に流下する構成となっている。すなわち、アウト球は、遊技領域１ａから遊技盤１の裏面側に移動することで、遊技領域１ａから排出されるのではなく、そのまま遊技盤１の前面側で遊技領域１ａの下側に流下することで遊技領域１ａから排出される。
【００４３】
前記普通変動入賞装置９は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置９に遊技球が流入し易い状態（遊技者にとって有利な状態）に変化されるようになっている。
この普通変動入賞装置９は、特図の始動入賞口も兼ねている。すなわち、普通変動入賞装置９の内部（入賞領域）に備えられた特図始動センサ（図示略）により遊技球を検出することに基づき始動条件が成立し、特図の変動表示ゲームが開始されるようになっている。
【００４４】
また、普図始動ゲート６，６内には、該普図始動ゲート６，６を通過した遊技球を検出するための普図始動センサが設けられている。
そして、遊技領域１ａ内に打ち込まれた遊技球が、普図始動ゲート６，６内を通過すると、普図変動表示器において普図の変動表示ゲームが行われる。
ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。
この普図の変動表示ゲームの結果、普図変動表示器における停止表示が特別の結果態様となれば、普図の当たりとなって、普通変動入賞装置９の開閉部材が所定時間（例えば、０.５秒間）上述のように開放される。これにより、普通変動入賞装置９に遊技球が入賞しやすくなり、特図の変動表示ゲームの始動が容易となる。
【００４５】
また、特図の変動表示装置４は、例えば、図１等に示す液晶ディスプレイ４１を備え、表示内容が変化可能な表示画面４２を有している。この表示画面４２における表示内容は、表示制御手段としての機能を有する演出制御装置となる演出制御基板５０（サブ基板、盤用演出基板）により制御されるようになっている。
そして、遊技領域１ａ内に打ち込まれた遊技球が特図の始動口を兼ねる普通変動入賞装置９へ進入して始動条件が成立することに基づき、表示画面４２にて複数種類の識別情報（例えば、数字、記号、キャラクタ図柄など）を変動表示させる特図の変動表示ゲームを実行可能となっている。なお、特図の変動表示ゲームは、表示画面４２において、複数種類の識別情報を所定時間変動表示させることにより行う。
そして、この特図の変動表示ゲームの結果として、表示画面４２の表示態様が特別結果態様（例えば、「７，７，７」等のゾロ目数字の何れか）となった場合には、大当たりとなって特別遊技状態（いわゆる、大当たり状態）となる。
【００４６】
ここで、特別変動入賞装置５は、上端側が手前側に倒れる方向に回動して開放可能になっているアタッカー形式の開閉扉によって開閉される大入賞口を備えていて、特別遊技状態中は、大入賞口を閉じた状態から開いた状態に変換することにより大入賞口内への遊技球の流入を容易にさせるサイクル遊技が、所定回数（所定ラウンド数）を限度に行われる。
また、大入賞口の内部（入賞領域）には、該大入賞口に入った遊技球を検出するためのカウントセンサと、大入賞口に入った遊技球のうち継続入賞領域（Ｖ入賞領域）に流入した遊技球を検出するための継続センサが配設されている。
なお、各一般入賞口８，…の内部（入賞領域）には、該入賞口８，…に入った遊技球を検出するための入賞口センサが配設されている。
【００４７】
ここで、遊技領域１ａ内に打ち込まれた遊技球が、一般入賞口８、普通変動入賞装置９、特別変動入賞装置５の大入賞口等の入賞口の何れかに流入して入賞が発生すると、該入賞した遊技球が各入賞口のセンサにより検出され、該検出に基づき、各入賞口に対応して設定された所定の賞球数が、上述の遊技球数（持球数）のデータに加算される。
【００４８】
従って、特別遊技状態中に上記のサイクル遊技を行うことにより、遊技者は高い遊技球数（特定の遊技価値）の獲得機会を得る。
すなわち、封入球式遊技機１００はパチンコ遊技機として、特図変動表示ゲームの結果、予め定められた特別結果態様となった場合に（大当りとなった場合に）、遊技者に特定の遊技価値を付与可能な特別遊技状態を発生可能に構成されている。
【００４９】
また、前記遊技盤１の裏面側には、図３及び図７、図８に示すように、前記液晶ディスプレイ４１の後側にボックス５１に納められた状態で前記演出制御基板５０が配置され、その下側にボックス２１に収納された状態で遊技を制御する遊技制御装置となる遊技制御基板２０が配置されている。遊技制御装置は、遊技球の入賞をセンサで検知した場合に、後述する枠制御装置へ入賞（賞球数）を示す信号を出力するとともに、普図始動ゲート６，６を遊技球が通過したのをセンサが検知した場合に、普図の変動表示ゲームの制御を行うとともに、普図の変動表示ゲームの当り外れの判定の制御を行う。そして、遊技制御装置は、普図の変動表示ゲームが当りとなった場合に、普通変動入賞装置９を作動させる制御を行う。また、遊技制御装置は、普通変動入賞装置９に遊技球が入賞した場合に特図の変動表示ゲームの制御を前記演出制御装置を介して行う。すなわち、遊技制御装置は、演出制御装置に変動表示装置４の表示制御を行わせるとともに、大当りと外れの判定の制御を行う。なお、遊技盤には、遊技に係わるセンサやソレノイドや表示装置等が設けられるとともに、これらを制御する遊技制御装置や演出制御装置が設けられている。つまり、遊技の内容に係わる装置はすべて遊技盤１に設けられているので、この遊技盤１を交換することにより、遊技機１００の遊技内容を変更することが可能である。
【００５０】
また、前面枠本体１３０の遊技盤１が取り付けられる開口部１２１の下側となる前面枠本体１３０の下部は、図５に示すように、その前面側に上述の発射操作空間形成枠１５９を有する発射操作ユニット１５０が取り付けられるとともに、図３、図４に示すように、その裏面側に遊技球を発射するための発射装置６１及び発射レール６２等を備えた発射ユニット６０が取り付けられる取付盤１３１となっている。取付盤１３１を備える前面枠本体１３０は、各種部材の取付部材やリブ等が形成されたものである。なお、取付盤１３１と前面枠本体１３０は、樹脂により一体成型されていても良いし、取付盤１３１が前面枠本体１３０から取り外せるように別体品としても良い。
【００５１】
図３、図４に示すように、前面枠本体１３０下部の取付盤１３１の裏面側には、上述の発射ユニット６０が備えられるとともに、発射装置６１を制御する発射制御装置となる発射制御基板６３（ボックス６３ａ内に配置）、発射装置６１により遊技領域１ａに発射された遊技球を回収して再び発射装置６１に供給する封入球循環ユニット２００（封入球循環装置）、封入球式遊技機１００内の各装置に電力を供給する電源基板７１（ボックス７１ａ内に配置）、遊技盤１以外の前面枠１２０に備えられた装置の制御を行う第１枠制御基板８１（ボックス８１ａ内に配置）及び第２枠制御基板８２（ボックス８２ａ内に配置）が取り付けられている。これら第１枠制御基板８１及び第２枠制御基板８２が枠制御装置として機能し、遊技盤１に取り付けられた装置を除く、前面枠１２０の例えば、外部アピール装飾ランプ１１，…、タッチパネル表示ユニット１５１、球装飾部１５４、封入球循環ユニット２００、外部とのデータの通信装置等を制御する枠制御装置となる。なお、第１枠制御基板８１は、遊技制御基板２０及び演出制御基板５０からの制御に基づいて第２枠制御基板８２及び発射制御基板６３を制御するようになっている。
なお、取付盤１３１を有する前面枠本体１３０は、各部材の取付位置に各部材を取り付
けるための構造が設けられており、例えば、取り付けられた部材を囲むように補強用のリブが形成されていたり、ビス等による部材の取り付けのためのボス等が形成されたりする。
【００５２】
発射ユニット６０は、取付盤１３１の裏面に取り付けられる取付プレート６４と、取付プレート６４の裏面側にレール取付ベース６５を介して取り付けられる発射レール６２と、発射レール６２上の遊技球を打撃して遊技球を発射させる発射杵６６等を備えた発射装置６１とを備える。そして、発射レール６２は、遊技球を発射レール６２に沿って案内するように断面Ｖ字状に形成され、遊技盤１より下で、遊技盤１の前面側の遊技領域１ａの真下となる位置に配置されるとともに、遊技領域１ａの下部の例えば左側で発射された遊技球をガイドするようにガイドレール２が外側と内側とに二重に配置された部分の下端部に発射装置６１に打撃された遊技球を導くように、封入球式遊技機１００の左右方向に沿って左右に延在するとともに、封入球式遊技機１００の前から見て右端部より左端部が高くなるように斜めに配置されている。すなわち、発射レール６２はその長手方向を遊技領域１ａに向けて傾斜した状態で取付盤１３１の裏面に設けられている。また、発射レール６２は、上述の発射レール６２の配置に沿って前から見て右端部より左端部が高くなるように取付プレート６４に形成されたリブ状のレール取付ベース６５上に載った状態で取付プレート６４にビス等により固定されている。
【００５３】
図４に示すように、発射装置６１は、取付盤１３１とこの取付盤１３１に取り付けられた取付プレート６４との間に形成された収納空間に収納されるように、取付プレート６４の前面側に取り付けられた図示しない電気的駆動源としてのモータ（ステッピングモータ）と、このモータに接続されて回転駆動されることにより、遊技球を打撃して遊技球を発射する発射杵６６と、発射杵６６の回転角度を規制するストッパ部材６７と、発射レール６２上に封入球循環ユニット２００から供給された遊技球を、発射レール６２の下端部上の発射杵６６により打撃可能な所定位置に停止させる球位置決め部材６８とを備える。
【００５４】
発射ユニット６０においては、発射装置６１及び発射レール６２の前側が取付プレート６４により閉塞され、取付プレート６４が取り付けられた取付盤１３１の取付プレート６４の周囲に形成されたリブにより、発射レール６２を通って発射される発射球（遊技球）の経路を除いた上下左右が略閉塞されているが、発射ユニット６０の裏面側（後方側）は、開放された状態となっている。しかし、取付盤１３１の発射ユニット６０の裏面側には、後述するように発射ユニット６０と前後に略重なって封入球循環ユニット２００が取り付けられ、封入球循環ユニット２００の前面（前面壁）により発射ユニット６０の発射レール６２及び発射装置６１の部分の後方側がほぼ覆われてほぼ閉塞された状態となっている。
【００５５】
また、遊技領域１ａには、上述の外側と内側との二つのガイドレール２，２からなる発射球の誘導路となる部分の下端部に発射球の導入口であり、かつ、発射球が遊技領域１ａを流下せずにファール球として戻った場合の戻り口となる発射球導入部がある。一方、図１、図４に示すように、前面枠本体１３０の遊技盤１が取り付けられる部分の下枠となる部分、すなわち、前面枠本体１３０の取付盤１３１の上側縁部には、ガラス枠１４０の後方側のガラス板１４１の裏面と、遊技盤１の前面との間の遊技領域１ａの下部を閉塞する底壁部１３４が形成されている。そして、前面枠本体１３０の底壁部１３４の上述の遊技領域１ａの発射球導入部に対向する部分に、発射球通過口１３５が設けられている。
【００５６】
そして、取付盤１３１の発射球通過口１３５の下では、発射球通過口１３５の裏面側から見て左側の側縁のほぼ真下に、発射球通過口１３５から下に向かって間隔を開けて、発射レール６２の先端より少し先（裏面からみて右側）にあるレール取付ベース６５の垂直な先端面が配置されている。また、図４に示すように、発射球通過口１３５の表面側から見て左側の側縁のほぼ真下には、底壁部１３４と一体に接合されて形成された案内壁１３６が設けられている。案内壁１３６は、発射レール６２とほぼ同じ傾斜角で傾斜しており、その下側端部には、レール取付ベース６５の先端面と対向して垂直に形成された仕切壁１３７が案内壁１３６に連続して形成されている。
【００５７】
そして、発射レール６２及びレール取付ベース６５と、案内壁１３６及び仕切壁１３７との間が、ファール球を発射レール６２側に戻らせることなく、封入球循環ユニット２００のファール球回収部２５７を介して封入球循環ユニット２００に導入する球流入口となる。なお、球流入口は、その上方が前記発射球通過口１３５となっており、遊技領域１ａの外側と内側のガイドレール２の間の発射球導入部と連通し、後方側が封入球循環ユニット２００のファール球回収口２５１と連通している。
【００５８】
また、上述の案内壁１３６は、発射レール６２の上面の延長線より低い位置に配置されており、戻ってきたファール球が接触した場合に、発射レール６２の上面より低い位置にファール球を案内して、ファール球が発射レール６２上に載らないようにしている。基本的には、ファール球は、発射レール６２の先端部が、発射球通過口１３５と上下に重ならない位置にあることで、発射レール６２の前側に落下するようになっている。
【００５９】
封入球循環ユニット２００は、所定数の遊技球が封入されており、発射装置６１によって遊技領域１ａに発射された遊技球を回収、循環し、再び発射装置６１に供給するものである。この封入球循環ユニット２００は、封入球式遊技機１００の裏側にあって、上述の発射装置６１の背面側を覆うように配されている。封入球循環ユニット２００の主要部は、前面側を構成する前壁部材３１０と、裏面側を構成する後壁部材３２０とから概略箱状に形成され、この内部に遊技球を循環、待機させる流路や、遊技球を検知する種々のセンサ（発射球を検出する供給球検出センサ、ファール球を検出するファール球センサ、遊技領域１ａから回収された遊技球を検出する回収球センサ等）、遊技球を発射装置６１に供給する供給装置等が備えられている。また、前壁部材３１０及び後壁部材３２０は、それぞれ透明な樹脂により一体成型されており、封入球循環ユニット２００内の遊技球や、封入球循環ユニット２００の前側の遊技球や発射ユニット６０等を透視可能となっており、前面枠１２０の裏側から遊技球の詰まり等が確認できるようになっている。また、前壁部材３１０と後壁部材３２０とは、着脱自在に接合されている。
【００６０】
また、封入球循環ユニット２００はその下端部に、前面枠本体１３０の取付盤１３１の取付プレート６４の取付位置より下方となる所定部位に設けられた左右の取付部１３２，１３２に、着脱可能かつ回動可能に接続する左右の接続部材２０１，２０１を備えており、図４に示すように、封入球式遊技機１００の左右方向に設定された回転軸回りに回転可能となっている。そして、封入球循環ユニット２００は、図３に示すように、封入球式遊技機１００の裏面（取付盤１３１の裏面）に沿った垂直な状態（使用状態）から、前記接続部材２０１，２０１を中心に上端が後方側に倒れるように回動して略水平な状態（メンテナンス状態）に回動可能となっている。
また、封入球循環ユニット２００の接続部材２０１，２０１は、取付盤１３１の取付部１３２，１３２の軸となる突起が回動可能に挿入される筒状の形状を有するとともに、筒状部分にはスリット（図示略）が形成され、スリットから軸を出入可能とされることにより、接続部材２０１，２０１が取付部１３２，１３２から着脱自在とされ、封入球循環ユニット２００を前面枠本体１３０の取付盤１３１から取り外し可能（着脱自在）となっている。
【００６１】
後壁部材３２０の左右両端部には、後壁部材３２０の前側に前壁部材３１０を取り付けた状態で、後壁部材３２０を着脱自在に取付盤１３１に取り付ける取付部材２０３，２０３が設けられている。この取付部材２０３，２０３を取付盤１３１から取り外すことで封入球循環ユニット２００を後側に倒すように回動自在となる。
【００６２】
また、封入球循環ユニット２００は、図３及び図４に示すように、封入球式遊技機１００の裏面側となる前面枠本体１３０の裏面側に取り付けられる。
なお、前面枠本体１３０の下部となる取付盤１３１は、その主要部となるほぼ垂直な平板部分が、前面枠本体１３０に固定された遊技盤１より前となるように構成されており、取付盤１３１の裏面に取り付けられる上述の発射装置６１等を有する発射ユニット６０が遊技盤１より前面側の遊技領域１ａの略真下に配置されるようになっている。
そして、封入球循環ユニット２００は、取付盤１３１に取り付けられた発射ユニット６０と前後に重なるように、発射ユニット６０の後側に配置されて取付盤１３１に取り付けられる。そして、封入球循環ユニット２００は、取付盤１３１に取り付けられた状態で前面枠本体１３０に取り付けられた遊技盤１の下方位置（この例では略真下となる直下方向）に配置されるようになっている。
【００６３】
回収部材２１０は、封入球循環ユニット２００の最も上の部分となる上端部に形成される。そして、回収部材２１０は、その前部が、遊技盤１の前面側の遊技領域１ａの下
から入賞することなく流下した遊技球であるアウト球を回収可能となるように、遊技盤１の下から遊技盤１の前面側の遊技領域１ａの下側のガイドレール２の上述の切欠部の下側に延設されている。また、回収部材２１０は、その後部が、遊技盤１の裏面側を流下して遊技盤１の下側に排出される入賞した遊技球であるセーフ球を回収可能となるように、遊技盤１の下から遊技盤１の裏面側のセーフ球の排出経路（図示略）の下まで延設されている。
すなわち、回収部材２１０は、その前後幅が、遊技盤１の厚みより少なくとも遊技球の直径の２倍以上長く、回収部材２１０は、遊技盤１の前方のガラス枠１４０の後側のガラス板１４１の裏面から遊技盤１の後方の入賞したセーフ球の排出経路の後端までの範囲で配置される。また、回収部材２１０の左右幅は、遊技盤１の下側のガイドレール２の切欠部の幅となっており、回収部材２１０は、ガイドレール２の切欠部の右端から左端までの範囲で配置される。なお、ガイドレール２の切欠部の左右範囲内に、遊技盤１の裏面側のセーフ球の図示しない排出経路の出口が配置される。
【００６４】
なお、封入球循環ユニット２００の回収部材２１０より下の本体部分の前後幅は、遊技球の直径より少し広いものとされているが、遊技盤１の厚み（前後幅）よりは、狭いものとされており、遊技盤１の下にある封入球循環ユニット２００の本体部に対して、回収部材２１０は、前と後にそれぞれ延出した状態となっている。
また、封入球循環ユニット２００は、取付盤１３１の裏面側で発射ユニット６０より後に配置されているが、取付盤１３１の遊技盤１の下側の回収部材２１０が配置される部分には、回収部材２１０の形状に対応した間隙部１３３が形成されており、上述のように下端部を中心に回転自在な封入球循環ユニット２００を立てた状態に取付盤１３１に取り付けた際に、封入球循環ユニット２００の回収部材２１０の前部が間隙部１３３に挿入されて、回収部材２１０の前部が遊技盤１より前に延出するようになっている。
また、発射装置６１により上述の内側のガイドレール２及び外側のガイドレール２との間に発射されたにも係わらず、再び発射装置６１側に向かって戻ってしまったファール球は、再び発射球通過口１３５を通過し、案内壁１３６に案内されファール球回収部２５７に流下し、ファール球回収口２５１から封入球循環ユニット２００に流入し、上述の回収球と合流するようになっている。
【００６５】
以上のような封入球式遊技機１００においては、以下のように遊技領域１ａに遊技球が発射され、発射された遊技球が回収されて循環使用されることになる。
発射ユニット６０の発射装置６１に供給された遊技球は、発射装置６１により遊技盤１前面側の遊技領域１ａの下側から内外二本のガイドレール２の間を通って、遊技領域１ａ内に発射される。そして、遊技領域１ａ内に発射された遊技球は、遊技領域１ａ内を流下し、発射された一部の遊技球が普通変動入賞装置９、特別変動入賞装置５、一般入賞口等の入賞口に流入して入賞し、遊技盤１の裏面側に導かれてセーフ球となり、遊技盤１の裏面側のセーフ球の排出経路を通って遊技盤１の下側に流下する。
【００６６】
一方、遊技領域１ａ内を流下しても入賞することなく、遊技領域１ａの下端部に至った遊技球は、アウト球として、遊技盤１の前面側下端部のガイドレール２が設けられていない中央部分から遊技盤１の下側に流下する。すなわち、アウト球は、遊技盤１の前面側から遊技盤１の下側に流下する。
そして、遊技盤１の下側に流下したアウト球及びセーフ球は、それぞれ封入球循環ユニット２００の回収部材２１０の回収口２１１の前部のアウト球回収口２１５及び回収口２１１の後部のセーフ球回収口２１６から封入球循環ユニット２００内に流入する。一方、発射装置６１で発射されたにも係わらず、遊技領域１ａを流下せずに戻ったファール球としての遊技球は、ファール球回収手段２５０のファール球回収部２５７で回収されてファール球回収口２５１から封入球循環ユニット２００内に流入し、上述の回収球としての遊技球と合流する。
【００６７】
封入球循環ユニット２００内に形成された経路に沿って遊技球は流下、待機し、発射装置６１の発射動作に連動して供給導出口（図示略）から発射位置６９に供給される。
この供給導出口は、封入球循環ユニット２００の前面側にある発射ユニット６０の発射位置６９に面しており、供給導出口から出た遊技球はそのまま発射位置６９にセットされる。
つまり、発射ユニット６０の裏側にある封入球循環ユニット２００から直接遊技球を発射位置６９にセットするので、循環経路が単純になり装置の構成を簡略化できる。
発射装置６１にセットされた遊技球は、発射杵６６によって打撃されて遊技領域１ａに発射され、再び上述の経路を辿り循環使用される。
【００６８】
以下、被挟持部１６９の構成について他の実施の形態を示す。挟持部材１６１等の構成は上述の実施の形態と同様であり、対応する部分には対応する符号を付して理解を容易にしている。
〔第２の実施の形態〕
図１２の（ａ）、（ｂ）に示すように、この実施の形態の被挟持部１６９は、被挟持部１６９を形成した被挟持部形成部材１７４を、遊技盤１に取り付けることによって設けられている。
この被挟持部形成部材１７４は、挟持部材１６１が挿入される凹部である被挟持部１６９と、遊技盤１の側端側に配されるリブ１７５と、遊技盤１の側面に沿うように配される屈折部１７６と、被挟持部１６９の内側段部１７０に連続する取付部１７７とを有する合成樹脂等で形成された部材である。
被挟持部形成部材１７４は、遊技盤１の裏面であって、遊技盤１を遊技盤収納部１２２に収納したときに、遊技盤収納部１２２に設けられた挟持部材１６１と対向する位置に被挟持部形成部材１７４の形状に合わせて形成された凹部１７８に取り付けられる。
このように、合成樹脂等で形成された部材によって被挟持部１６９を設けたことで、遊技盤１を削って被挟持部１６９を形成するのに比べて、容易に被挟持部１６９の形状を正確に、また、各遊技盤で均一なものにすることが可能となる。
【００６９】
被挟持部１６９は上述の実施の形態と同じように、上下幅は挟持部材１６１の延出端部１６４が十分収容できる程度の幅で、左右幅、奥行きは、遊技盤１を遊技盤収納部１２２に取り付けたときに、延出端部１６４の傾斜部１６６が内側段部１７０に当接して遊技盤１を左右方向に押圧できるような幅となっている。
この被挟持部１６９の遊技盤１の側端に位置する部分には、遊技盤１の側端に沿ってリブ１７５が突設されている。このリブ１７５は、図１２の（ａ）に示すように、遊技盤１を遊技盤収納部１２２に取り付ける際に、挟持部材１６１の延出端部１６４と係合できるようにして、遊技盤１を支持できるようにしたものである。
すなわち、上述の実施の形態で示した遊技盤１の取付過程において、図８に示すように、挟持部材１６１を被挟持部１６９に挿入するように遊技盤収納部１２２に対して遊技盤１を斜め挿入したときに、遊技盤収納部１２２の下側の内面である載置部１７９に、遊技盤１の被挟持部１６９がある側の下面が載るとともに、リブ１７５に挟持部材１６１の延出端部１６４が係合した状態となる。すなわち、リブ１７５により形成された段差が抜け止めとして機能する。この状態においては、遊技盤１が載置部１７９と挟持部材１６１によって支持されており、手を離しても遊技盤１は落下しないので、リード線の接続作業や遊技盤１で挟んでしまうようなリード線の除去作業などの作業ができる。
【００７０】
被挟持部形成部材１７４の遊技盤１の側端側には、遊技盤１の側面に当接するように、被挟持部１６９に対して直角に前方に屈折した板状の屈折部１７６が形成されており、この屈折部１７６を遊技盤１の側面に当接させるようにして被挟持部形成部材１７４を取り付ければ、被挟持部１６９の位置を正確に設定することができるとともに、被挟持部１６９が挟持部材１６１によって遊技盤１の面方向に沿って押圧されても被挟持部形成部材１７４がずれることがない。また、この屈折部１７６には被挟持部形成部材１７４を遊技盤１に固定するためのねじ孔１７６ａが設けられている。
取付部１７７は、内側段部１７０に連続する平板状の部分であって、ここにもねじ１９７を挿通するねじ孔１７７ａが形成されている。
被挟持部形成部材１７４は、この取付部１７７と屈折部１７６に形成されたねじ孔１７６ａ，１７７ａにねじ１９７を挿通し、遊技盤１にねじ込むことによって遊技盤１に固定される。
【００７１】
以上のことから、遊技盤１裏面の一側部の縁部に、被挟持部１６９を形成可能な被挟持部形成部材１７４を配設し、被挟持部形成部材１７４は、遊技盤１の側面に当接する屈折部１７６を形成したこととなる。
また、被挟持部形成部材１７４は、被挟持部１６９の外側（遊技盤１の側端側）所定部位に後方に突出するリブ１７５を形成し、遊技盤１を遊技盤収納部１２２に収納する際に、挟持部材１６１の延出端部１６４がリブ１７５に係合して、収納途中の遊技盤１を保持可能に構成したこととなる。
【００７２】
〔第３の実施の形態〕
図１３に示すように、この実施の形態の被挟持部１６９は、第２の実施の形態で示した被挟持部形成部材１７４の取付部１７７が、取付基盤１９１として遊技盤１の内側に延在し、ここに取っ手１９２が設けられている。その他の部分は第２の実施の形態で示した被挟持部形成部材１７４と同様であるので、以下、この取付基盤１９１と取っ手１９２についてのみ説明する。
取付基盤１９１は、被挟持部１６９の内側段部１７０から連続した平板状の部分で、被挟持部１６９が形成されている部分と同じ上下幅を有し、遊技盤１の内側方向に延出する部分と、この部分の先にあって、より広い上下幅を有する矩形状の延在部１９３とからなる。この取付基盤１９１には数箇所ねじ孔１９１ａが形成されていて、被挟持部形成部材１７４をねじ１９７によって遊技盤１に固定できるようになっている。
延在部１９３のほぼ中央には、遊技盤１を持つための取っ手１９２が突設されている。この取っ手１９２は、延在部１９３から垂直に突出し、その先端が下方に直角に屈折した断面Ｌ字形となっており、ここに手をかけて遊技盤１を持ち上げることができるようになっている。
このように、被挟持部形成部材１７４の取付基盤１９１の延在部１９３に取っ手１９２を設けたので、被挟持部形成部材１７４を遊技盤１に取り付けることにより同時に遊技盤１に取っ手１９２を設置でき、取っ手１９２の取付作業が簡略化される。そして、遊技盤１を遊技盤収納部１２２に収納するときに、この取っ手１９２を持って作業を行うことで、収納作業が行い易くなる。
なお、本実施の形態の遊技機１００は封入球式遊技機であるため、従来、遊技盤１の裏面に設けられていた遊技球の払出機構が排除されており、取っ手１９２を遊技盤１の裏面側に何ら問題なく突出状態で形成することが可能となっている。
また、取っ手１９２は、遊技盤１の裏面から見て左側にもう一つ設けても良く、これによって、両手で遊技盤１を持つことができる。
【００７３】
以上のことから、被挟持部形成部材１７４は、当該被挟持部形成部材１７４を遊技盤１裏面に取り付けるための取付基盤１９１を有し、取付基盤１９１を遊技盤１の内側方向（遊技盤１の左右方向の内側）に延在させるとともに、該延在部１９３に遊技盤１の収納作業用の取っ手１９２を後方側に突出させて形成したこととなる。
【００７４】
〔第４の実施の形態〕
図１４に示すように、この実施の形態の被挟持部形成部材１７４は、屈折部形成部材１９４と内側段部形成部材１９５の二つの部材に分かれており、被挟持部１６９が形成されている部分で左右方向にスライド自在に嵌合している。
屈折部形成部材１９４は、内側段部形成部材１９５をスライド自在に嵌合する被挟持部１６９を構成する部分と、第２の実施の形態で示したものと同様に遊技盤１の側面に当接する屈折部１７６とを有する。また、この屈折部１７６には被挟持部形成部材１７４を遊技盤１に固定するためのねじ孔１７６ａが設けられていおり、ここにねじ１９７を挿通し、遊技盤１の側面にねじ込むことで被挟持部形成部材１７４を遊技盤１に固定している。
【００７５】
内側段部形成部材１９５は、屈折部形成部材１９４とスライド自在に嵌合した被挟持部１６９を構成する部分と、被挟持部１６９に連続した段差である内側段部１７０と、内側段部１７０に連続する平板状の部分であって、遊技盤１の裏面に沿って延在する取付部１７７とを有する。
内側段部形成部材１９５の取付部１７７には、被挟持部形成部材１７４を遊技盤１に固定するためのねじ孔が設けられているが、このねじ孔は、内側段部形成部材１９５をスライド自在とするために、ねじ孔が左右方向に長い長孔となっている。
また、内側段部形成部材１９５の内側段部１７０の遊技盤１と対向する側と、遊技盤１に形成された凹部１７８の内側段部との間には、内側段部形成部材１９５と遊技盤１にその端部が当接し、両者を左右方向に離れるように付勢する押圧バネ１９６が設けられている。
【００７６】
また、この被挟持部形成部材１７４の構成として、例えば、内側段部形成部材１９５を被挟持部１６９と同じ上下幅として、屈折部形成部材１９４に対してにスライド自在に設けるようにしても良い。
この構成における屈折部形成部材１９４は、屈折部１７６から被挟持部１６９、取付部１７７までが連続して一体に形成されており、このうち被挟持部１６９の内側段部１７０と、内側段部１７０に連続する取付部１７７が内側段部１７０の上下幅に合わせて切り取られている。つまり、屈折部形成部材１９４は遊技盤１の裏面側から見て左側が開口したＵ字型となっており、この切り取り部に内側段部形成部材１９５を取り付けるようになっている。また、屈折部形成部材１９４の屈折部１７６と取付部１７７にはねじ孔が形成されており、ここにねじ１９７を挿通し、遊技盤１の側面にねじ込むことで被挟持部形成部材１７４を遊技盤１に固定する。被挟持部１６９の上下の段部には、左右方向に沿って図示しないガイドが設けられており、ここに内側段部形成部材１９５がスライド自在に嵌合する。
【００７７】
内側段部形成部材１９５は、被挟持部１６９の底面をなす部分と、内側段部１７０と、内側段部１７０に連続する取付部１７７を有し、上下幅は、Ｕ字型となっている屈折部形成部材１９４の切り取り部分に合わせて、被挟持部１６９の上下幅と同じ幅となっている。被挟持部１６９の底面をなす部分の側面には、被挟持部１６９の上下段部に形成されたガイドに嵌合する突条（図示略）が形成されており、これによって屈折部形成部材１９４に対してスライド自在に取り付けることができる。また、内側段部形成部材１９５の内側段部１７０の遊技盤１と対向する側と、遊技盤１に形成された凹部１７８の内側段部との間には、内側段部形成部材１９５と遊技盤１にその端部が当接し、両者を左右方向に離れるように付勢する押圧バネ１９６が設けられている。
【００７８】
以上のような構成の被挟持部形成部材１７４は、挟持部材１６１が当接していない状態において、押圧バネ１９６によって内側段部形成部材１９５が押圧されて遊技盤１の外側方向にスライドし、内側段部１７０が所定の位置よりも遊技盤１の外側にずれた位置にある。
挟持部材１６１を被挟持部１６９に挿入し、遊技盤１を遊技盤収納部１２２に収納すると、挟持部材１６１の延出端部１６４が内側段部１７０を左右方向に押圧し、内側段部形成部材１９５を押圧バネ１９６の付勢力に対向して遊技盤１の内側方向に押圧する。
これによって、弾性を有する挟持部材１６１の他、押圧バネ１９６による力で遊技盤１を左右方向に押圧することとなるため、遊技盤１をより確実に固定することができる。
【００７９】
以上のことから、被挟持部形成部材１７４は、内側段部１７０を形成する内側段部形成部材１９５を左右方向にスライド可能に設け、被挟持部形成部材１７４を遊技盤１に取り付けるために当該遊技盤１の裏面に形成された凹部１７８の内側段部と、内側段部形成部材１９５と、の間に内側段部形成部材１９５を遊技盤１の外側方向に押圧する押圧バネ１９６を設けたこととなる。
【００８０】
〔第５の実施の形態〕
次に、挟持部材１６１の構成について他の実施の形態を示す。被挟持部１６９等の構成は上述の実施の形態と同様であり、対応する部分には対応する符号を付して理解を容易にしている。
なお、ここでは、被挟持部１６９として第２の実施の形態で示した被挟持部１６９を用いているが、他の実施の形態で示した被挟持部１６９を用いても良い。
図１５の（ａ）、（ｂ）に示すように、この実施の形態の挟持部材１６１は、延出部１６３の湾曲した部分に遊技盤１と平行になるように遊技盤収納部１２２の外側に向かって突出する押圧部材１９９が設けられている。
【００８１】
上述したように、前面枠本体１３０に遊技盤１や発射装置６１等の遊技機１００を構成する各種の部材が取り付けられた前面枠１２０は、遊技機１００の外枠であって、遊技場の島設備に固定される機枠１１０に対して、一側方が軸着されて開閉可能になっている。そして、挟持部材１６１は、遊技盤収納部１２２の機枠１１０に対して前面枠１２０が軸着されている側に取り付けられている。
この挟持部材１６１の延出部１６３の形状は、第１の実施の形態で示した挟持部材１６１の延出部１６３の形状とほぼ同じであるが、図１５の（ａ）に示すように、前面枠１２０を開放した状態（遊技盤１の着脱作業を行う状態）において、被挟持部１６９と挟持部材１６１が接しないように若干挟持部材１６１が後方及び外側に位置するようになっている。これによって、遊技盤１の被挟持部１６９に挟持部材１６１を挿入しやすくなり、遊技盤１の着脱作業が容易になる。
【００８２】
押圧部材１９９は、挟持部材１６１の湾曲した部分の背面側（遊技機１００の後面側）にあって、前面枠１２０の外側に向かって延出する部材である。この押圧部材１９９の先端は、前面枠１２０の側端よりも外側に延出しており、図１５の（ｂ）に示すように、前面枠１２０を機枠１１０に収容したときに機枠１１０に当接できるようになっている。
このように押圧部材１９９が機枠１１０に当接することで、挟持部材１６１が遊技盤収納部１２２の内側に向かって押圧され、延出端部１６４が内側段部１７０を左右方向に押圧するとともに、被挟持部１６９を前方向に押圧することとなる。つまり、前面枠１２０を機枠１１０に収容したときには、挟持部材１６１が遊技盤１を押圧して、遊技盤１の前後、左右方向の移動を制限し、遊技盤収納部１２２内に遊技盤１を固定することとなる。
なお、ここでは押圧部材１９９を挟持部材１６１に設けるとしたが、押圧部材１９９を機枠１１０の内側から内側方向に突出状に設け、前面枠１２０の閉鎖時に挟持部材１６１の背面所定部位に当接することで挟持部材１６１を押圧するようにしても良い。
【００８３】
以上のことから、前面枠１２０は、島設備に設置される機枠１１０に対して片開き形式で開閉可能に軸着され、挟持手段１６０は、遊技盤収納部１２２における前面枠１２０の軸着側に配設され、前面枠１２０の開放状態から閉鎖状態への変換に応じて、挟持部材１６１の延出端部１６４に前方及び左右方向に力が加わるように当該挟持部材１６１を押圧する押圧部材１９９を設けたこととなる。
【００８４】
以上のような遊技機１００は、前面枠１２０の裏面側に、後方側に開口した遊技盤収納部１２２を形成し、該遊技盤収納部１２２に対して後方側から遊技盤１を収納するようにした遊技機１００であって、前記遊技盤収納部１２２は、一側方に、遊技盤１の一側部を挟持する挟持手段１６０を設けるととともに、他側方に、当該遊技盤収納部１２２に遊技盤１を収納した状態で該遊技盤１の他側部を固定する固定手段１７１を設け、前記挟持手段１６０は、前記遊技盤収納部１２２を構成する一側壁の後端から内側方向に所定長さ分延出し、かつ延出端部１６４側が前方方向に屈曲した湾曲状に形成されて弾性変形可能な挟持部材１６１を有し、前記遊技盤裏面の一側部に凹状の被挟持部１６９を形成し、前記被挟持部１６９内に前記挟持部材１６１を挿入して前記遊技盤１を前記遊技盤収納部１２２に収納すると、該被挟持部１６９の内側段部１７０に前記挟持部材１６１の延出端部１６４が当接して、該挟持部材１６１により該遊技盤１が左右方向に押圧されるように構成している。
【００８５】
従って、遊技盤収納部１２２に遊技盤１の一側方を挟持する挟持手段１６０を設けたことで、遊技盤１を遊技盤収納部１２２に収納する際に、遊技盤１の一側部を挟持手段１６０に挟み込むだけで、一側部の前後移動を規制でき、作業効率がよい。
また、遊技盤１の裏面に被挟持部１６９を形成し、遊技盤１を遊技盤収納部１２２に収納したときに、挟持部材１６１の延出端部１６４が被挟持部１６９の内側段部１７０に当接するようにしたことで、挟持部材１６１が遊技盤１を左右方向へ押して遊技盤収納部１２２の挟持手段１６０が設けられた側部と対向する側部に押し付けることとなり、遊技盤１の左右方向への移動を規制することができる。したがって、遊技盤１の固定作業を簡単に行うことができ、他側部の固定手段１７１は、遊技盤１の後方への移動を規制するような簡単なもの（当然作業も簡単）でよく、従来のように別途面倒な固定作業を行うこともなく、作業効率を高めることができる。
【００８６】
また、前記遊技盤裏面の一側部の縁部に、前記被挟持部１６９を形成可能な被挟持部形成部材１７４を配設し、前記被挟持部形成部材１７４は、前記遊技盤１の側面に当接する屈折部１７６を形成している。
【００８７】
従って、被挟持部形成部材１７４によって被挟持部１６９を形成したことで、被挟持部１６９の形状（寸法）を正確なものにすることが可能である。特に合成樹脂で形成された被挟持部形成部材１７４を用いることにより、被挟持部１６９の形状をより正確なものとすることができる。
また、遊技盤１の側面に屈折部１７６を当接させることにより、被挟持部１６９の左右位置が決まるので、挟持部材１６１に当接する内側段部１７０の位置を正確に設定することが可能であり、遊技盤１を遊技盤収納部１２２内の適正位置に確実に固定することが可能となる。
【００８８】
また、前記被挟持部形成部材１７４は、前記被挟持部１６９の外側所定部位に後方に突出するリブ１７５を形成し、前記遊技盤１を前記遊技盤収納部１２２に収納する際に、前記挟持部材１６１の延出端部１６４が前記リブ１７５に係合して、収納途中の遊技盤１を保持可能に構成している。
【００８９】
従って、被挟持部形成部材１７４に挟持部材１６１の延出端部１６４が係合するリブ１７５を形成し、挟持部材１６１が収納途中の遊技盤１を確実に保持可能に構成したことで、遊技盤１を遊技盤収納部１２２に収納する際に、遊技盤１を持つ手を一旦離すことができるようになるので、収納作業途中で他の作業（遊技盤１で挟んでしまうようなリード線の除去作業等）を行うことが可能となる。
【００９０】
また、前記被挟持部形成部材１７４は、当該被挟持部形成部材１７４を遊技盤裏面に取り付けるための取付基盤１９１を有し、前記取付基盤１９１を遊技盤１の内側方向に延在させるとともに、該延在部１９３に遊技盤１の収納作業用の取っ手１９２を後方側に突出させて形成したことを特徴とする。
【００９１】
従って、被挟持部形成部材１７４が被挟持部形成部材１７４を遊技盤１の裏面に取り付けるための取付基盤１９１を有し、この取付基盤１９１の延在部１９３に取っ手１９２を設けたことで、遊技盤１を遊技盤収納部１２２に収納する際に、遊技盤１を持ちやすくなる。つまり、遊技盤１を遊技盤収納部１２２に収納する際に、遊技盤１の端を持つと、その持つ手が邪魔となり収納作業が非常に行い辛いが、取っ手１９２により作業に邪魔とならない部位を掴んで簡単に遊技盤１を持つことができ、作業も非常に簡単に行えるようになる。
また、取っ手１９２は被挟持部形成部材１７４に一体的に形成されているので、別途部材を取り付ける必要もなく被挟持部形成部材１７４を利用して効率よく取っ手１９２を形成できる。
【００９２】
また、前記被挟持部形成部材１７４は、前記内側段部１７０を形成する内側段部形成部材１９５を左右方向にスライド可能に設け、前記被挟持部形成部材１７４を遊技盤１に取り付けるために当該遊技盤１の裏面に形成された凹部１７８の内側段部と、前記内側段部形成部材１９５との間に該内側段部形成部材１９５を遊技板１の外側方向に押圧する押圧バネ１９６を設けている。
【００９３】
従って、被挟持部１６９の内側段部１７０を形成する内側段部形成部材１９５をスライド可能に設け、この内側段部形成部材１９５と、遊技盤１の被挟持部形成部材１７４の取り付け部分に形成された凹部１７８の内側段部との間に押圧バネ１９６を設けたことで、弾性を有する挟持部材１６１の他、押圧バネ１９６による力で遊技盤１を左右方向に押圧することとなるため、遊技盤１を確実に固定することが可能となる。
また、請求項１の効果と同様に、特許文献１に示すような、遊技盤１を遊技盤収納部１２２に収納した後に固定器具を操作し、遊技盤１を左右方向に押圧して他側部を遊技盤収納部１２２内に固定する面倒な作業の必要がない。
【００９４】
また、前記前面枠１２０は、島設備に設置される機枠１１０に対して片開き形式で開閉可能に軸着され、前記挟持手段１６０は、前記遊技盤収納部１２２における前記前面枠１２０の軸着側に配設され、前記前面枠１２０の開放状態から閉鎖状態への変換に応じて、前記挟持部材１６１の延出端部１６４に前方及び左右方向に力が加わるように当該挟持部材１６１を押圧する押圧部材１９９を設けている。
【００９５】
従って、挟持部材１６１に設けられた押圧部材１９９によって、前面枠１２０の開閉に応じて挟持部材１６１の延出端部１６４に前方及び左右方向に力が加わるようにしたことで、前面枠１２０の閉鎖状態への変換（閉める力）を利用して、効率よく挟持部材１６１を押圧でき、遊技盤１を遊技盤収納部１２２に確実に固定することができる。
また、前面枠１２０の開放時には、挟持部材１６１の挟持力を弱めることも可能（挟持部材１６１の延出端部１６４を被挟持部１６９からわずかに離した状態にしておくことも可能）であるので、遊技盤１の収納時に（収納する際は前面枠１２０を開放しているため挟持部材１６１が押圧されていないことから）遊技盤１を簡単に遊技盤収納部１２２に収納することが可能となる。
【００９６】
なお、上述の各実施の形態において、図１６に示すように、挟持部材１６１が当接する部分（第１の実施の形態においては遊技盤１に形成された被挟持部１６９、その他の実施の形態においては被挟持部形成部材１７４、もしくは、被挟持部形成部材１７４を取り付ける遊技盤１の凹部１７８）にセンサ２０５（フォトセンサやフラットな近接センサ等）を設け、挟持部材１６１の延出端部１６４が適正位置にあることを検出するようにしても良い。
例えば、図１６に示すように、被挟持部１６９の裏側であって、遊技盤１に形成された凹部１７８にセンサ取付部２０６を形成し、ここにフォトセンサ２０５を取り付ける。さらに、このセンサ取付部２０６の上側の被挟持部１６９に、光の通り道である孔２０７を設け、フォトセンサ２０５が発した光が挟持部材１６１の延出端部１６４に反射することで発生する反射光により、延出端部１６４が適正位置にあるかを検知できるようにする。そして、例えば、遊技機１００の電源を入れたときに、挟持部材１６１の延出端部１６４が適正位置にあることを検出するようにし、もし、適正位置にない場合に外部に対して異常報知をするようにしたり、遊技ができないようにしたりすることで、遊技盤１が正しく取り付けられていないことによる不具合を未然に防止できる。
【００９７】
また、本発明の遊技機は、前記実施の形態に示されるようなパチンコ遊技機としての封入球式遊技機１００に限定されず、例えば、その他の実際に賞等の発生により遊技球を排出する排出機構を備えたパチンコ遊技機、アレンジボール遊技機、雀球遊技機などの遊技球を使用する全ての遊技機に適用可能である。
さらに、今回開示された実施の形態はすべての点で例示であって制限的なものではないと考えられるべきである。本発明の範囲は前記した説明ではなくて特許請求の範囲によって示され、特許請求の範囲と均等の意味および範囲内でのすべての変更が含まれることが意図される。
【図面の簡単な説明】
【００９８】
【図１】本発明の実施の形態の封入球式遊技機として例示されるガラス枠を開放した状態の封入球式遊技機を示す斜視図である。
【図２】ガラス枠を閉鎖した状態の封入球式遊技機を示す斜視図である。
【図３】封入球式遊技機の裏面側を示す背面図である。
【図４】封入球式遊技機の裏面下部を示す要部斜視図である。
【図５】前面枠本体と操作ユニットを示す斜視図である。
【図６】封入球式遊技機の上面図である。
【図７】封入球式遊技機の裏面側を示す斜視図である。
【図８】封入球式遊技機の裏面側を示す斜視図であって、遊技盤を着脱する状態の図である。
【図９】封入球式遊技機の裏面側を示す、挟持手段の斜視図であって、遊技盤を遊技盤収納部に収納した状態の図である。
【図１０】封入球式遊技機の裏面側を示す、挟持手段の斜視図であって、遊技盤を着脱する状態の図である。
【図１１】封入球式遊技機の挟持手段付近の断面図である。
【図１２】被挟持部の他の構成を示す断面図であって、（ａ）遊技盤を着脱するときの状態、（ｂ）遊技盤を取り付けた状態の図である。
【図１３】被挟持部の他の構成を示す斜視図である。
【図１４】被挟持部の他の構成を示す断面図である。
【図１５】挟持部材の他の構成を示す断面図であって、（ａ）前面枠を開放した状態、（ｂ）前面枠を閉じた状態。
【図１６】挟持手段の他の構成を示す断面図である。
【符号の説明】
【００９９】
１              遊技盤
１ａ            遊技領域
１００          封入球式遊技機（遊技機）
１１０          機枠（外枠）
１２０          前面枠
１２１          開口部
１２２          遊技盤収納部
１２３          壁部材
１３０          前面枠本体
１６０          挟持手段
１６１          挟持部材
１６２          固定部
１６３          延出部
１６４          延出端部
１６５          前端部
１６６          傾斜部
１６９          被挟持部
１７０          内側段部
１７１          固定手段
１７４          被挟持部形成部材
１７５          リブ
１７６          屈折部
１７８          凹部
１９１          取付基盤
１９２          取っ手
１９３          延在部
１９５          内側段部形成部材
１９６          押圧バネ
１９９          押圧部材
２０５          センサ
【図１】
2005237665.tif 000003
【図２】
2005237665.tif 000004
【図３】
2005237665.tif 000005
【図４】
2005237665.tif 000006
【図５】
2005237665.tif 000007
【図６】
2005237665.tif 000008
【図７】
2005237665.tif 000009
【図８】
2005237665.tif 000010
【図９】
2005237665.tif 000011
【図１０】
2005237665.tif 000012
【図１１】
2005237665.tif 000013
【図１２】
2005237665.tif 000014
【図１３】
2005237665.tif 000015
【図１４】
2005237665.tif 000016
【図１５】
2005237665.tif 000017
【図１６】
2005237665.tif 000018